(57)【要約】【課題】  金具類は、金属どうしが衝突すると火花を発生するために、ベリリウム銅合金を使用しているが、鉄とは違い伸びがなく、落下して衝撃荷重が加わっても変形せず、連結ベルトも一度の落下ぐらいでは少しヨレル感じはあるものの、一見して落下形跡がほとんど解らないものであった。よって、解らないまま使用し、何回か落下してリングが破断し、引き止められない事態が考えられるものであった。【解決手段】  本願は、背中部肩掛けベルト１の交差部に設けた本リング５に連結ベルト６の一方を連結し、他方を胸前に配置する連結ベルト６が装備されており、この連結ベルト６に落下表示部を設けて複数回の使用を防止するものである。具体的には、連結ベルト６の中間部を折畳んで重合部63を設けると共に、その重合部63に添ってテンション部材７を設け、落下したならば、テンション部材７が切断して重合部63が開き、落下したことが確認できる表示部８を有する。【選択図】        図１
2005279047.tif 000002
【特許請求の範囲】
【請求項１】
導電性繊維を織り込んだベルトにより、背部において交差させ両肩に掛ける肩掛けベルト１と、足を挿入する一対の環状の腿掛けベルト２とを一体に形成し、背部の交差部分にベリリウム銅合金の本リング５を設け、該本リング５に導電性繊維を織り込んだベルトから成る連結ベルト６の一方を連結し、他方に輪状部61を設け、該輪状部61を肩掛けベルト１の胸側に配置し、面ファスナー62で肩掛けベルト１に仮固定する構造の防爆型フルハーネス安全帯３において、連結ベルト６の中間部を折り畳んで重合部63を設けると共に、該重合部63に添ってテンション部材７の両端部を連結ベルト６に連結し、落下時に連結ベルト６に衝撃荷重が加わることにより、テンション部材７が切断して重合部63が開き、落下したことが確認できる落下確認部８を備えたことを特徴とする防爆型フルハーネス安全帯。
【請求項２】
テンション部材７として、合成繊維製ベルトを用いたことを特徴とする請求項１に記載の防爆型フルハーネス安全帯。
【請求項３】
テンション部材７として、合成樹脂材を用いたことを特徴とする請求項１に記載の防爆型フルハーネス安全帯。
【請求項４】
テンション部材７として、アルミ材を用いたことを特徴とする請求項１に記載の防爆型フルハーネス安全帯。
【請求項５】
落下確認部８として、連結ベルト６の中間部を折り畳んで重合した重合部63を縫着し、落下衝撃荷重が加われば縫着糸が切断し、重合部63が開くことを特徴とする請求項１に記載の防爆型フルハーネス安全帯。
【発明の詳細な説明】
【技術分野】
【０００１】
本願は、高所作業者が墜落防止のために身体に装着する防爆型フルハーネス安全帯に関するものである。
【背景技術】
【０００２】
従来の防爆型フルハーネス安全帯は、特願２００２−２６４５９８に開示したものがある。
これは、爆発の危険性があるガソリン給油所等で、作業者の墜落，転落を防止するために設けられた安全装置の一部として、導電繊維を織込んだベルトを用いて製作したフルハーネス安全帯があり、作業者に帯電する静電気のスパークによって起る、爆発事故を防止すると共に、作業者の高所からの墜転落事故を防止する目的で使用されるものである。
なお、この防爆型フルハーネス安全帯は、金具類を銅・銅合金製として、金具類の衝突による火花の発生を防止したことが開示されている。
【特許文献１】特願２００２−２６４５９８
【発明の開示】
【発明が解決しようとする課題】
【０００３】
防爆型フルハーネス安全帯の金具類は、接触によって起こる火花を防止するため、特許文献１で開示したものは、銅製と表記されているが、銅・銅合金（真鍮）・ベリリウム銅合金等の材料を使用しており、本リングには、ベリリウム銅合金を用いたものであり、鉄とは違い伸びがなく、１度落下しても形跡が残らず、何回か落下使用すれば、一挙に金具が破断し、引き止めることが出来ない状況になることが考えられるものであった。
【課題を解決するための手段】
【０００４】
よって、本願は、背部交差部に設けた本リングより、正面胸部へ連結された連結ベルトに落下表示部を設けるものである。
具体的には、連結ベルト６の中間部を折り畳んで重合部63を設けると共に、該重合部63に添ってテンション部材７を設け、該テンション部材７の両端部を連結ベルト６に連結し、落下時において連結ベルト６に衝撃荷重が加わることにより、テンション部材７が切断して重合部63が開き、落下したことが確認でき、再使用を防止するものである。
【発明の効果】
【０００５】
以上のように、本願の防爆型フルハーネス安全帯は、連結ベルト６に落下表示部８を設けたことにより、落下したならば表示部のテンション部材７が切断して重合部63が開き、容易に判別できるため、引き続いての使用は無くなる。
【実施例】
【０００６】
本願の実施例を詳記すると、
導電性繊維を織り込んだベルトにより、背部において交差させ両肩に掛ける肩掛けベルト１と、足を挿入する一対の環状の腿掛けベルト２とを一体に形成し、背部の交差部分にベリリウム銅合金の本リング５を設け、該本リング５に導電性繊維を織り込んだベルトから成る連結ベルト６の一方を連結し、他方に輪状部61を設け、該輪状部61を肩掛けベルト１の胸側に配置し、面ファスナー62で肩掛けベルト１に仮固定する構造の防爆型フルハーネス安全帯において、連結ベルト６の中間部を折り畳んで重合部63を設けると共に、該重合部63に添ってテンション部材７を設け、該テンション部材７の両端部を連結ベルト６に連結し、落下時に高衝撃荷重が連結ベルト６に加わることにより、テンション部材７が切断して重合部63が開き、落下したことが確認できる落下表示部を有したものである。
なお、落下表示部は、熱収縮チューブ64により被覆したものである。
【０００７】
テンション部材７として、合成繊維製ベルト・合成樹脂材・アルミ材を用いて、通常作業者が引っ張る荷重（〜２００Ｋｇｆ）では切断しないように、幅・厚みを設定し、連結ベルト６裏面に連結するものである。
【０００８】
また、落下表示部８として、連結ベルト６の中間部を折り畳んで重合している重合部63を縫着し、落下衝撃荷重が加われば縫着糸が切断し、重合部63が開き、再使用を防止することも可能である。
【０００９】
本願を装着するには、先ず、肩掛けベルト１を肩に掛ける。続いて、胸ベルト11の樹脂製バックルを嵌合し、肩より外れないようにする。そして腿掛けベルト２を股の間より前側に持ってくる。そして、先端に設けたパススルーバックルの雄金具22を肩掛けベルト１のパススルーバックルの雌金具12へ挿通嵌合し、ベルト端部を引き身体に合った長さに張設する。
以上で装着完了である。
外す時は、パススルーバックルの雄金具22を持って引き上げることによってベルトにゆとりができ容易に外すことができる。
【００１０】
以上の、防爆型フルハーネス安全帯の背部交差部に、本リング５を挿通し、該本リング５にベルトより成る連結ベルト６の一端を取付け、他端に輪状部61を設け、該輪状部61を胸前に配置するのであるが、連結ベルト６の面ファスナー62（雄）を左右の肩掛けベルト１に設けた面ファスナー13（雌）のどちらか作業性の良い方を選択仮止めし、該輪状部61にカラビナあるいはＵ字環を介して連結ロープのフックを掛止して（図示せず）使用するものである。
【図面の簡単な説明】
【００１１】
【図１】本願連結ベルトの正面図。
【図２】本願連結ベルトの平面図。
【図３】本願防爆型フルハーネス安全帯の取付状態正面図。
【図４】本願防爆型フルハーネス安全帯の取付状態背面図。
【図５】本願防爆型フルハーネス安全帯の正面図。
【符号の説明】
【００１２】
１    肩掛けベルト
11    胸ベルト
12    雌金具
13    面ファスナー
２    腿掛けベルト
21    雄金具
３    ハーネス型安全帯
５    本リング
６    連結ベルト
61    輪状部
62    面ファスナー
63    重合部
64    熱収縮チューブ
７    テンション部材
８    落下表示部
【図１】
2005279047.tif 000003
【図２】
2005279047.tif 000004
【図３】
2005279047.tif 000005
【図４】
2005279047.tif 000006
【図５】
2005279047.tif 000007